(57)【要約】  無線通信システム内で端末機器とモバイル機器の間で通信するためのシステムは、端末機器内で、アプリケーション、通信スタックおよびハードウェアドライバレイヤを含む。通信スタックは、通信ソケットおよび第１のネットワークアダプタコンポーネントを含み、アプリケーションは通信スタックと、通信ソケットを介して通信する。ハードウェアドライバレイヤは、第２のネットワークアダプタコンポーネントを含み、第１のネットワークアダプタコンポーネントは第２のネットワークアダプタコンポーネントと通信する。モバイル機器は通信ドライバを含み、第２のネットワークアダプタコンポーネントは通信ドライバと通信し、これを通じて端末機器はモバイル機器と通信する。
2007516666.tif 000002
【特許請求の範囲】
【請求項１】
無線通信システム内で端末機器とモバイル機器との間で通信するためのシステムであって、
前記端末機器は、
アプリケーションと、
通信スタックであって、通信ソケットおよび第１のネットワークアダプタコンポーネントを含み、前記アプリケーションは前記通信スタックと、前記通信ソケットを介して通信する、通信スタックと、
ハードウェアドライバレイヤであって、第２のネットワークアダプタコンポーネントを含み、前記第１のネットワークアダプタコンポーネントは前記第２のネットワークアダプタコンポーネントと通信する、ハードウェアドライバレイヤと
を具え、
前記モバイル機器は、
通信ドライバであって、前記第２のネットワークアダプタコンポーネントは前記通信ドライバと通信し、これを通じて前記端末機器は前記モバイル機器と通信する、通信ドライバを具えたことを特徴とするシステム。
【請求項２】
前記通信スタックはＴＣＰ／ＩＰコンポーネントをさらに具え、
前記通信ソケットは前記第１のネットワークアダプタコンポーネントと、前記ＴＣＰ／ＩＰコンポーネントを介して通信することを特徴とする請求項１記載のシステム。
【請求項３】
前記第１のネットワークアダプタコンポーネントはモデルデバイスドライバであり、
前記第２のネットワークアダプタコンポーネントはプラットフォーム依存ドライバであることを特徴とする請求項１記載のシステム。
【請求項４】
前記モバイル機器は、前記通信ドライバと通信するモデムアダプタをさらに具え、
前記モデムアダプタは、前記無線通信システムのコントロールプレーンおよびデータプレーンと通信することを特徴とする請求項１記載のシステム。
【請求項５】
無線通信システム内で端末機器とモバイル機器との間で通信するためのシステムであって、
前記端末機器は、
アプリケーションと、
前記アプリケーションと通信するネットワークアダプタと
を具え、
前記モバイル機器は、
前記ネットワークアダプタと通信する通信ドライバであって、これを通じて前記端末機器は前記モバイル機器と通信する、通信ドライバを具えたことを特徴とするシステム。
【請求項６】
無線通信システム内で端末機器とモバイル機器の間で通信するためのシステムであって、
前記端末機器は、
第１のアプリケーションおよび第２のアプリケーションを含むアプリケーションレイヤと、
第１のネットワークアダプタおよびモデムを含む通信レイヤであって、前記第１のアプリケーションは前記第１のネットワークアダプタと通信し、前記第２のアプリケーションは前記モデムと通信する、通信レイヤと
を具え、
前記モバイル機器は、
前記第１のネットワークアダプタと通信する第２のネットワークアダプタと、
前記モデムと通信する汎用非同期受信器／送信器であって、それにより前記端末機器は前記モバイル機器と通信する、汎用非同期受信器／送信器と
を具えたことを特徴とするシステム。
【請求項７】
無線通信システム内でモバイル機器と通信するための無線送受信ユニット（ＷＴＲＵ）であって、前記モバイル機器は通信ドライバを有し、
アプリケーションと、
通信スタックであって、通信ソケットおよび第１のネットワークアダプタコンポーネントを含み、前記アプリケーションは前記通信スタックと、前記通信ソケットを介して通信する、通信スタックと、
ハードウェアドライバレイヤであって、第２のネットワークアダプタコンポーネントを含み、前記第１のネットワークアダプタコンポーネントは前記第２のネットワークアダプタコンポーネントと通信し、前記第２のネットワークアダプタコンポーネントは前記通信ドライバと通信し、これを通じて前記ＷＴＲＵは前記モバイル機器と通信する、ハードウェアドライバレイヤと
を具えたことを特徴とする無線送受信ユニット。
【請求項８】
前記通信スタックはＴＣＰ／ＩＰコンポーネントをさらに具え、
前記通信ソケットは前記第１のネットワークアダプタコンポーネントと、前記ＴＣＰ／ＩＰコンポーネントを介して通信することを特徴とする請求項７記載の無線送受信ユニット。
【請求項９】
前記第１のネットワークアダプタコンポーネントはモデルデバイスドライバであり、
前記第２のネットワークアダプタコンポーネントはプラットフォーム依存ドライバであることを特徴とする請求項７記載の無線送受信ユニット。
【請求項１０】
無線通信システム内でモバイル機器と通信するための無線送受信ユニット（ＷＴＲＵ）であって、前記モバイル機器は通信ドライバを有し、
アプリケーションと、
前記アプリケーションと、および前記通信ドライバと通信するネットワークアダプタであって、これを通じて前記ＷＴＲＵは前記モバイル機器と通信する、ネットワークアダプタとを備えることを特徴とする無線送受信ユニット。
【請求項１１】
無線通信システム内でモバイル機器と通信するための無線送受信ユニット（ＷＴＲＵ）であって、前記モバイル機器は第１のネットワークアダプタおよび汎用非同期受信器／送信器を有し、
第１のアプリケーションおよび第２のアプリケーションを含むアプリケーションレイヤと、
第２のネットワークアダプタおよびモデムを含む通信レイヤであって、前記第１のアプリケーションは前記第２のネットワークアダプタと通信し、前記第２のアプリケーションは前記モデムと通信し、前記第２のネットワークアダプタは前記第１のネットワークアダプタと通信し、前記モデムは前記汎用非同期受信器／送信器と通信し、これにより前記ＷＴＲＵは前記モバイル機器と通信する、通信レイヤと
を具えたことを特徴とする無線送受信ユニット。
【請求項１２】
無線通信システム内でモバイル機器と通信するための集積回路であって、前記モバイル機器は通信ドライバを有し、
アプリケーションと、
通信スタックであって、通信ソケットおよび第１のネットワークアダプタコンポーネントを含み、前記アプリケーションは前記通信スタックと、前記通信ソケットを介して通信する、通信スタックと、
ハードウェアドライバレイヤであって、第２のネットワークアダプタコンポーネントを含み、前記第１のネットワークアダプタコンポーネントは前記第２のネットワークアダプタコンポーネントと通信し、前記第２のネットワークアダプタコンポーネントは前記通信ドライバと通信し、これを通じて前記集積回路は前記モバイル機器と通信する、ハードウェアドライバレイヤと
を具えたことを特徴とする集積回路。
【請求項１３】
前記通信スタックはＴＣＰ／ＩＰコンポーネントをさらに具え、
前記通信ソケットは前記第１のネットワークアダプタコンポーネントと、前記ＴＣＰ／ＩＰコンポーネントを介して通信することを特徴とする請求項１２記載の集積回路。
【請求項１４】
前記第１のネットワークアダプタコンポーネントはモデルデバイスドライバであり、
前記第２のネットワークアダプタコンポーネントはプラットフォーム依存ドライバであることを特徴とする請求項１２記載の集積回路。
【請求項１５】
無線通信システム内でモバイル機器と通信するための集積回路であって、前記モバイル機器は通信ドライバを有し、
アプリケーションと、
前記アプリケーションと、および前記通信ドライバと通信するネットワークアダプタであって、これを通じて前記集積回路は前記モバイル機器と通信する、ネットワークアダプタと
を具えたことを特徴とする集積回路。
【請求項１６】
無線通信システム内でモバイル機器と通信するための集積回路であって、前記モバイル機器は第１のネットワークアダプタおよび汎用非同期受信器／送信器を有し、
第１のアプリケーションおよび第２のアプリケーションを含むアプリケーションレイヤと、
第２のネットワークアダプタおよびモデムを含む通信レイヤであって、前記第１のアプリケーションは前記第２のネットワークアダプタと通信し、前記第２のアプリケーションは前記モデムと通信し、前記第２のネットワークアダプタは前記第１のネットワークアダプタと通信し、前記モデムは前記汎用非同期受信器／送信器と通信し、それにより前記集積回路は前記モバイル機器と通信する、通信レイヤと
を具えたことを特徴とする集積回路。
【発明の詳細な説明】
【技術分野】
【０００１】
本発明は、無線通信システムに関し、より詳細には、端末機器とモバイル機器との間のネットワークアダプタインターフェイスに関する。
【背景技術】
【０００２】
ＵＭＴＳ、ＧＳＭ／ＧＰＲＳまたはＣＤＭＡなどのセルラーシステム内では、端末機器（ＴＥ）とモバイル機器（ＭＥ）の間のインターフェイスは、従来のモデムのパラダイムに従う。モバイル機器またはデバイスは、無線規格（３ＧＰＰなど）との関連でユーザー機器（ＵＥ）と呼ばれる。ＵＥは、ユーザーアプリケーションおよびサポートインフラストラクチャ（すなわち、ＴＣＰ／ＩＰなどの通信スタック）を表すＴＥ、ならびに、エアインターフェイスハードウェア、および、ＵＥ内のＧＳＭ、ＧＰＲＳまたはＵＭＴＳなどの通信スタックの両方である、モバイル通信インフラストラクチャを表すＭＥの、半々からなる。
【０００３】
モデムのパラダイムは一般に以下の属性を含み、すなわち、（１）ＴＥとＭＥの間のシリアルまたはＵＳＢ物理接続、（２）ＴＥによるＭＥのコントロールのために利用されたアテンション（ＡＴ）コマンド、および（３）データモードとコントロール（ＡＴコマンド）モードの間のＴＥおよびＭＥハードスイッチの間のインターフェイスである。モデムのパラダイムは、アナログモデムから無線の世界への持ち越しである。
【発明の開示】
【発明が解決しようとする課題】
【０００４】
よりハイエンドのモバイルアプリケーション（ＷＩＮＤＯＷＳ（登録商標）ＰＣ、Ｐｏｃｋｅｔ  ＰＣ、ＳＹＭＢＩＡＮ（登録商標）ＰＤＡ、ＷＩＮＤＯＷＳ（登録商標）ＣＥスマートフォン、および／または、ＳＹＭＢＩＡＮ（登録商標）スマートフォンなど）では、ＭＥをモデムとしてモデリングすることにはいくつかの欠点がある。まず、モデムモデルは、接続指向の「ルックアンドフィール」をデータ接続のために必要とする。ＷＩＮＤＯＷＳ（登録商標）ＴＡＰＩおよびＳＹＭＢＩＡＮ（登録商標）Ｅｔｅｌなど、テレフォニーアプリケーションプログラミングインターフェイス（ＡＰＩ）は、データ接続をセットアップするために利用される。接続が確立される前に、ユーザーには、アプリケーション特有のダイアラまたはプラットフォームダイアラプログラムを介して「ダイヤル」する。また、無線モデム内では（少なくともＷＩＮＤＯＷＳ（登録商標）では）並行性は許可されず、ユーザーは、単一のインスタンスで適時に音声およびデータコールを実行することができない、または、複数のデータコールまたはコンテキストを実行することができないままにされる。
【０００５】
ＵＥはまた、音声またはデータコール中に状況およびコントロール情報を無線モデム（ＭＥ）から検索することもできない。物理モデムインターフェイスに関しては、無線データ速度は１０から１４Ｍｂｐｓに到達するので（例えば、３ＧＰＰ  ＵＭＴＳ  Ｒｅｌｅａｓｅ５の場合など）、モデムインターフェイスのシリアルの性質は問題があるようになる。例えば、ＲＳ−２３２などのシリアルインターフェイス、およびＵＳＢ１．０は、それほど高いデータレートをサポートしない。最後に、無線ローカルエリアネットワーク（ＷＬＡＮ）の間のインターネットワーキングでは、モデムインターフェイスは、インターネットワーキングミドルウェア（例えば、８０２．１１およびＵＭＴＳ）がＭＥではなくＴＥ上にあることを必要とする。
【０００６】
図１は、ＷＩＮＤＯＷＳ（登録商標）ＰＣまたはＰｏｃｋｅｔ  ＰＣ  ＰＤＡとの関連で、ＵＭＴＳおよびＧＰＲＳ端末など、無線端末を接続するための従来技術のシステム１００を例示する。システム１００は、ＴＥ１０２およびＭＥ１０４を含む。ＴＥ１０２は３つのコンポーネントを有し、すなわち、アプリケーションレイヤ１１０、通信スタック１２０、およびハードウェアドライバレイヤ１４０である。アプリケーションレイヤ１１０は、１つまたは複数のアプリケーション１１２を含む。アプリケーション１１２は通信スタック１２０と、ソケットインターフェイス１２２を介して通信することができ、ソケットインターフェイス１２２はＴＣＰ／ＩＰコンポーネント１２４およびＰＰＰコンポーネント１２６と通信する。
【０００７】
代替として、アプリケーション１１２は通信スタック１２０と、リモートアクセスサービス（ＲＡＳ）コンポーネント１２８またはテレフォニーＡＰＩ（ＴＡＰＩ）コンポーネント１３０を介して通信することができる。ＲＡＳコンポーネントはＴＡＰＩコンポーネント１３０と通信し、ＴＡＰＩコンポーネント１３０はＡＴコマンドベースモデム（ユニモデム）１３２と通信する。情報ファイル１３４は、モデム１３２についての情報を含む。ＰＰＰコンポーネント１２６およびユニモデムコンポーネント１３２は、ハードウェアドライバレイヤ１４０と、シリアルポートまたはＵＳＢポートなどの物理通信ドライバ１４２を介して通信する。
【０００８】
ＭＥ１０４は、通信ドライバ１４２から情報を受信するシリアルドライバ１５０を含む。シリアルドライバ１５０はモデムアダプタ１５２に接続され、モデムアダプタ１５２はコントロールプレーン１５４とデータプレーン１５６の間で切り替えることができる。
【０００９】
類似の構成は、ＳＹＭＢＩＡＮ（登録商標）ベースのアプリケーションで使用されることが可能である。図１の大部分は同じままで、わずかな修正のみがあり、例えば、ユニモデムコンポーネント１３２をＳｙｍｂｉａｎのＴＳＹコンポーネントで置き換え、ＴＡＰＩコンポーネント１３０をＳｙｍｂｉａｎのＥｔｅｌ  ＡＰＩコンポーネントで置き換える。
【課題を解決するための手段】
【００１０】
無線通信システム内で端末機器とモバイル機器の間で通信するためのシステムは、端末機器内で、アプリケーション、通信スタックおよびハードウェアドライバレイヤを含む。通信スタックは、通信ソケットおよび第１のネットワークアダプタコンポーネントを含み、アプリケーションは通信スタックと、通信ソケットを介して通信する。ハードウェアドライバレイヤは、第２のネットワークアダプタコンポーネントを含み、第１のネットワークアダプタコンポーネントは第２のネットワークアダプタコンポーネントと通信する。モバイル機器は通信ドライバを含み、第２のネットワークアダプタコンポーネントは通信ドライバと通信し、これを通じて端末機器はモバイル機器と通信する。
【００１１】
本発明のもう１つの実施形態による、無線通信システム内で端末機器とモバイル機器の間で通信するためのシステムは、端末機器内で、アプリケーションおよびネットワークアダプタを含み、ネットワークアダプタはアプリケーションと通信する。モバイル機器は、ネットワークアダプタと通信する通信ドライバを含み、これを通じて端末機器はモバイル機器と通信する。
【００１２】
本発明のさらなる実施形態による、無線通信システム内で端末機器とモバイル機器の間で通信するためのシステムは、端末機器内で、アプリケーションレイヤおよび通信レイヤを含む。アプリケーションレイヤは、第１のアプリケーションおよび第２のアプリケーションを有する。通信レイヤは第１のネットワークアダプタおよびモデムを含み、第１のアプリケーションは第１のネットワークアダプタと通信し、第２のアプリケーションはモデムと通信する。モバイル機器は、第１のネットワークアダプタと通信する第２のネットワークアダプタ、および、モデムと通信する汎用非同期受信器／送信器を含み、それにより端末機器はモバイル機器と通信する。
【００１３】
無線通信システム内でモバイル機器と通信するための無線送受信ユニット（ＷＴＲＵ）は、アプリケーション、通信スタックおよびハードウェアドライバレイヤを含む。通信スタックは、通信ソケットおよび第１のネットワークアダプタコンポーネントを含み、アプリケーションは通信スタックと、通信ソケットを介して通信する。ハードウェアドライバレイヤは、第２のネットワークアダプタコンポーネントを含み、第１のネットワークアダプタコンポーネントは第２のネットワークアダプタコンポーネントと通信する。モバイル機器は通信ドライバを含み、第２のネットワークアダプタコンポーネントは通信ドライバと通信し、これを通じてＷＴＲＵはモバイル機器と通信する。
【００１４】
無線通信システム内でモバイル機器と通信するための集積回路は、アプリケーション、通信スタックおよびハードウェアドライバレイヤを含む。通信スタックは、通信ソケットおよび第１のネットワークアダプタコンポーネントを含み、アプリケーションは通信スタックと、通信ソケットを介して通信する。ハードウェアドライバレイヤは、第２のネットワークアダプタコンポーネントを含み、第１のネットワークアダプタコンポーネントは第２のネットワークアダプタコンポーネントと通信する。モバイル機器は通信ドライバを含み、第２のネットワークアダプタコンポーネントは通信ドライバと通信し、これを通じて集積回路はモバイル機器と通信する。
【００１５】
本発明のより詳細な理解は、例として、添付の図面と共に理解されるために与えられた、以下の好ましい実施形態の説明から有することが可能である。
【発明を実施するための最良の形態】
【００１６】
以下、無線送受信ユニット（ＷＴＲＵ）には、それに限定されないが、ユーザー機器、移動局、固定またはモバイル加入者ユニット、ページャー、または、無線環境内で動作することができる他のいかなるタイプのデバイスもが含まれる。以下で言及されるとき、基地局には、それに限定されないが、ノードＢ、サイトコントローラ、アクセスポイント、または、無線環境内の他のいかなるタイプのインターフェイシングデバイスもが含まれる。本明細書で例示される実施形態は、物理的に分離したＴＥおよびＭＥを示し、本発明およびその概念はまた、「ワンボックス」または結合されたＴＥ／ＭＥソリューションにも適用される。
【００１７】
本発明は、ＭＥをＴＥへ、モデムではなくネットワークアダプタ（ＮＡ）として提示する。ＮＡとしての提示はいくつかの利点を提供する。まず、ＮＡはコネクションレスのルックアンドフィールを可能にし、例えば、ユーザーはウェブブラウジングアプリケーションを始動し、パケット交換（ＰＳ）接続はユーザー対話なしに確立される。もう１つの利点は、ＭＥが音声コールおよびデータコールのために同時に利用されることが可能であり、インターフェイスモードの切り替えによりコントロールおよび状況情報がＴＥとＭＥの間で交換されることが可能であることである。接続性の利点に関しては、有線ネットワークでのＮＡ速度は無線ネットワークを超える。８０２．１１と無線ネットワークの間のインターネットワーキングミドルウェアは、ＴＥ内ではなくＭＥ内に存在することが可能である。これは、インターネットワーキングの問題を、ＷＩＮＤＯＷＳ（登録商標）、ＷＩＮＤＯＷＳ（登録商標）ＣＥ、ＳＹＭＢＩＡＮ（登録商標）、およびそれらの関連アプリケーションなど、高アプリケーションレイヤから分離する。
【００１８】
本発明によるＮＡインターフェイスの基本概念を実施するシステム２００を、図２に示す。システム２００は、ＴＥ２０２およびＭＥ２０４を含む。ＴＥ２０２は、アプリケーションレイヤ２１０、通信スタック２２０、およびハードウェアドライバレイヤ２３０を有する。アプリケーションレイヤ２１０は、１つまたは複数のアプリケーション２１２を含む。アプリケーション２１２は通信スタック２２０と、ソケットインターフェイス２２２を介して通信し、ソケットインターフェイス２２２はＴＣＰ／ＩＰコンポーネント２２４と通信する。ＴＣＰ／ＩＰコンポーネント２２４は、モデルデバイスドライバ（ＭＤＤ）ＮＡコンポーネント２２６と通信する。
【００１９】
ＭＤＤ  ＮＡコンポーネント２２６はハードウェアドライバレイヤ２３０と、プラットフォーム依存ドライバ（ＰＤＤ）ＮＡコンポーネント２３２を介して通信し、ＰＤＤ  ＮＡコンポーネント２３２は通信ドライバとしての機能を果たす。この階層化デバイスドライバ構造下で、ＭＤＤ  ＮＡコンポーネント２２６は所与のタイプのすべてのドライバに共通であるが、ＰＤＤ  ＮＡコンポーネント２３２は特に、使用されるハードウェアに関係する。ＭＤＤ  ＮＡコンポーネント２２６は、ＰＤＤ  ＮＡコンポーネント２３２内の特定のルーチンをコールして、ハードウェアまたはハードウェア固有の情報にアクセスする。
【００２０】
ＰＤＤ  ＮＡコンポーネント２３２はＭＥ２０４と、通信ドライバ２４０を介して通信する。通信ドライバ２４０はモデムアダプタ２４２に接続され、モデムアダプタ２４２はコントロールプレーン２４４およびデータプレーン２４６と通信する。
【００２１】
ＭＥにはＮＡインターフェイスが、ＰＤＤ  ＮＡコンポーネント２３２を介して提示され、ＰＤＤ  ＮＡコンポーネント２３２は以下のプロパティを含む。第１のプロパティは、ＴＥとＭＥの間のコネクションレスインターフェイスであり、データを送信する前にユーザーがダイヤルする必要性をなくす。第２のプロパティは、ＴＥとＭＥの間のパラレルインターフェイスであり、モデムベースのシリアルインターフェイスよりも高いデータレートをサポートする。第３のプロパティは、ＰＰＰのようなあるオーバーヘッドプロトコルレイヤの除去であり、通信スタック２２０の設計を簡素化する。
【００２２】
Ｍｉｃｒｏｓｏｆｔベースの実施態様では、例えば、３つの可能なインターフェイスタイプがある。
【００２３】
（１）ＮＡは、例えば、ＭｉｃｒｏｓｏｆｔのＮＥ２０００など、ハードウェア定義に至るまで、既存の標準インターフェイスに適合するように定義される。この実施態様では、ソフトウェアがＴＥ上にある必要はない。
【００２４】
（２）ＮＡは、ネットワークプロトコルレベルで既存の標準に適合するように定義される。例えば、ＮＡはＭｉｃｒｏｓｏｆｔのＮｅｔｗｏｒｋ  Ｄｒｉｖｅｒ  Ｉｎｔｅｒｆａｃｅ  Ｓｐｅｃｉｆｉｃａｔｉｏｎ（ＮＤＩＳ）イーサネット（登録商標）ＭＤＤを利用し、ＭＥとインターフェイスするためにＰＤＤを提供することができる。これは、メモリ（コードおよびデータサイズ）および性能（速度および帯域幅）の両方に関して、汎用のＷＩＮＤＯＷＳ（登録商標）ＮＥ２０００ドライバを超えて、最適化された実施態様であるが、より多くのＭＥソフトウェアを必要とする。
【００２５】
（３）ＮＡは、アプリケーションプラットフォームに統合するために既存の標準に適合するように定義されるが（例えば、ＭｉｃｒｏｓｏｆｔではＮＤＩＳ）、最初から構築される。これは、メモリおよび性能に関して、もっとも最適化された実施態様であり、ＭＥの必要性に合わせて調整されたカスタムアダプタである。
【００２６】
ＳＹＭＢＩＡＮ（登録商標）ベースのシステムについて、同じ３つの可能なインターフェイスタイプが存在することに留意されたい。
【００２７】
ＮＡ構成を使用する追加の利点は、セルラーシステムとＷＬＡＮの間のインターネットワーキングがＭＥ内で完全にカプセル化されることが可能であることである。
【００２８】
本発明の代替実施形態では、モデムインターフェイスおよびＮＡインターフェイスの両方が、ＴＥとＭＥの間で通信するために使用される。モデムインターフェイスは音声サービスに対して使用されるが、ＮＡインターフェイスはデータサービスに対して使用される。この代替実施形態により構築されたシステム３００を、図３に示す。システム３００は、ＴＥ３０２およびＭＥ３０４を含む。ＴＥ３０２は、いくつかのアプリケーション３１０および通信レイヤ３２０を含む。アプリケーション３１０は、ワールドワイドウェブアクセスアプリケーション３１２、音声ダイアラアプリケーション３１４、およびファクシミリアプリケーション３１６を含む。他の通信アプリケーションを使用することができ、上記のアプリケーションは例示的であることに留意されたい。通信レイヤ３２０は、ＮＡドライバ３２２、モデムドライバ３２４および通信ポート３２６を含む。
【００２９】
ウェブアクセスアプリケーション３１２は、比較的高速な接続でよりよく機能するので、ＮＡドライバ３２２を利用して高速ネットワーク接続にアクセスする。反対に、音声ダイアラアプリケーション３１４およびファクシミリアプリケーション３１６の両方は、より低速な接続を通じて動作することができ、ＭＥと、モデムドライバ３２４および通信ポート（例えば、モデム）３２６を介して通信する。
【００３０】
ＴＥ内のＮＡドライバ３２２はＭＥ内の対応するＮＡドライバ３３０と通信するが、ＴＥ内の通信ポート３２６は、ＭＥ内の汎用非同期受信器／送信器（ＵＡＲＴ）／シリアルドライバ３３２と通信する。ドライバ３３０、３３２が通信を受信した後、これらのドライバはこの通信を、処理のためにＭＥ３０４の残りの部分に渡す。
【００３１】
モバイルネットワーク（ＭＮ）インターフェイス／ＡＴインタープリタ３３４は、ネットワークアダプタドライバ３３０およびＵＡＲＴ／シリアルドライバ３３２と通信する。ＭＮインターフェイス３３４は、ＵＭＴＳ非アクセス階層（ＮＡＳ）コンポーネント３３６と通信する。回線交換データ（ＣＳＤ）デバイス３３８は、ＵＡＲＴ／シリアルドライバ３３２と通信する。ＣＳＤデバイス３３８はまた、ＮＡＳコンポーネント３３６とも通信し、コントロールパラメータをＮＡＳコンポーネント３３６から受信する。パケット交換（ＰＳ）コンポーネント３４０は、ネットワークアダプタドライバ３４０と通信する。ＮＡＳコンポーネント３３６、ＣＳＤコンポーネント３３８、およびＰＳコンポーネント３４０はすべてＵＭＴＳアクセス階層３４２と通信し、ＵＭＴＳアクセス階層３４２はＵＭＴＳレイヤ１  ３４４と直接通信する。
【００３２】
本発明を、別々のデバイス上で構築されるものとして説明した。しかし、本発明をまた、特定用途向け集積回路（ＡＳＩＣ）などの集積回路（ＩＣ）、複数のＩＣ、離散コンポーネント、またはそれらの組合せとして実施することもできる。
【００３３】
本発明の特徴および要素を特定の組合せにおける好ましい実施形態において説明するが、各特徴または要素を単独で（好ましい実施形態の他の特徴および要素なしに）、または、本発明の他の特徴および要素の有無にかかわらず様々な組合せにおいて、使用することができる。本発明の特定の実施形態を図示および説明したが、多数の修正および変形形態を、当業者によって本発明の範囲から逸脱することなく作成することができる。上記の説明は、特定の発明を例示する役割を果たし、決して特定の発明を限定するものではない。
【図面の簡単な説明】
【００３４】
【図１】従来技術のシステムのブロック図である。
【図２】本発明により構築されたシステムのブロック図である。
【図３】図２に示すシステムの代替実施形態の詳細を示すブロック図である。
【図１】
2007516666.tif 000003
【図２】
2007516666.tif 000004
【図３】
2007516666.tif 000005
【国際調査報告】
2007516666.tif 000006